(57)【要約】【課題】スピードリミッタを接続せずに点火装置が組み立てられて機関の回転速度を制限することができなくなる事態が生じるのを防止できる内燃機関用点火装置を提供する。【解決手段】少なくとも点火ユニット２とスピードリミッタ３とを別体に形成する。点火コイル１に点火コイル側コネクタ１０２を設け、点火ユニット２に点火コイル側コネクタ１０２に接続し得ない構造の点火ユニット側コネクタ２０２を設ける。スピードリミッタ３には、点火コイル側コネクタ１０２を接続し得る構造の第１のリミッタ側コネクタ３０１と点火ユニット側コネクタ２０１を接続し得る構造の第２のリミッタ側コネクタ３０２とを設けて、第１及び第２のリミッタ側コネクタ３０１及び３０２をそれぞれ点火コイル側コネクタ１０２及び点火ユニット側コネクタ２０２に接続することにより、点火コイル１とスピードリミッタ３と点火ユニット２とを相互に接続する。【選択図】    図１
2005069077.tif 000002
【特許請求の範囲】
【請求項１】
点火コイルと、前記点火コイルの一次電流を制御して内燃機関の点火タイミングに点火用高電圧を発生させる点火ユニットと、前記内燃機関の回転速度が制限値を超えたときに前記点火用高電圧の発生を阻止して前記内燃機関を失火させるスピードリミッタとを備えた内燃機関用点火装置において、
少なくとも前記点火ユニットと前記スピードリミッタとが別体に形成されていて該点火ユニットとスピードリミッタとの間にコネクタが設けられ、
前記コネクタを接続した際に前記点火ユニットが前記コネクタを介して前記スピードリミッタと点火コイルとに接続され、前記コネクタを切り離した際に前記点火ユニットが前記スピードリミッタ及び前記点火コイルから切り離されるように前記コネクタが設けられていること、
を特徴とする内燃機関用点火装置。
【請求項２】
点火コイルと、前記点火コイルの一次電流を制御して内燃機関の点火タイミングに点火用高電圧を発生させる点火ユニットと、前記内燃機関の回転速度が制限値を超えたときに前記点火用高電圧の発生を阻止して前記内燃機関を失火させるスピードリミッタとを備えた内燃機関用点火装置において、
少なくとも前記点火ユニットと前記スピードリミッタとが別体に形成され、
前記点火ユニットは点火ユニット側コネクタを有していて、該点火ユニット側コネクタが前記スピードリミッタ及び点火コイルに接続される前記点火ユニット内の回路に接続され、
前記点火コイルは、点火コイル側コネクタを有して、該点火コイル側コネクタが前記スピードリミッタ及び点火ユニットに接続される前記点火コイルの一次コイルの端末部に接続され、
前記スピードリミッタは、第１のリミッタ側コネクタと第２のリミッタ側コネクタとを有して該第１及び第２のリミッタ側コネクタが前記点火コイル及び点火ユニットに接続される前記スピードリミッタ内の回路に共通に接続され、
前記第１及び第２のリミッタ側コネクタがそれぞれ前記点火コイル側コネクタ及び点火ユニット側コネクタに接続されて前記点火コイルと点火ユニットと前記スピードリミッタとが相互に接続されていること、
を特徴とする内燃機関用点火装置。
【請求項３】
一端が接地された一次コイルが内燃機関により駆動される磁石発電機内に設けられて前記一次コイルに交流電圧を誘起する点火コイルと、前記点火コイルの一次コイルに対して並列に接続された一次電流制御用スイッチと前記内燃機関の点火タイミングよりも前のタイミングで前記一次電流制御用スイッチをオン状態にすることにより前記点火コイルに一次電流を流し、前記点火タイミングで前記一次電流制御用スイッチをオフ状態にして前記一次電流を遮断するように前記一次電流制御用スイッチを制御するスイッチ制御回路とを有して前記一次電流の遮断により前記点火コイルの二次コイルに点火用高電圧を誘起させて点火動作を行わせる点火ユニットと、前記点火コイルの一次コイルに対して並列に接続された一次コイル短絡用スイッチを有して前記内燃機関の回転速度が制限値を超えたときに前記一次コイル短絡用スイッチをオン状態にすることにより前記一次電流の遮断を阻止して前記点火ユニットの点火動作を停止させるスピードリミッタとを備えた内燃機関用点火装置において、
少なくとも前記点火ユニットとスピードリミッタとが別体に形成され、
前記点火ユニットは点火ユニット側コネクタを有していて、該点火ユニット側コネクタが前記一次電流制御用スイッチの非接地側の一端に接続され、
前記点火コイルは、点火コイル側コネクタを有して、該点火コイル側コネクタが前記点火コイルの一次コイルの非接地側端子に接続され、
前記スピードリミッタは、第１のリミッタ側コネクタと第２のリミッタ側コネクタとを有して該第１及び第２のリミッタ側コネクタが前記点火コイルの一次コイルの非接地側端子及び点火ユニットの一次電流制御用スイッチの非接地側の一端に接続される前記スピードリミッタ内の回路に共通に接続され、
前記第１及び第２のリミッタ側コネクタがそれぞれ前記点火コイル側コネクタ及び点火ユニット側コネクタに接続されて前記点火コイルと点火ユニットと前記スピードリミッタとが相互に接続されていること、
を特徴とする内燃機関用点火装置。
【請求項４】
前記点火コイル側コネクタ及び点火ユニット側コネクタはともに雌形コネクタからなっている請求項２または３に記載の内燃機関用点火装置。
【請求項５】
前記点火コイル側コネクタ及び点火ユニット側コネクタはともに雄形コネクタからなっている請求項２または３に記載の内燃機関用点火装置。
【発明の詳細な説明】
【技術分野】
【０００１】
本発明は、内燃機関の過回転を防止する機能を有する内燃機関用点火装置に関するものである。
【背景技術】
【０００２】
農業機械や、建設機械、発電機などに使用される汎用の内燃機関には、過回転を防止するために、その点火装置に過回転防止機能を持たせることが行われている。過回転防止機能を備えた内燃機関用点火装置は、点火コイルと、該点火コイルの一次電流を制御して内燃機関の点火タイミングに点火用高電圧を発生させる点火ユニットと、内燃機関の回転速度が制限値を超えたときに点火用高電圧の発生を阻止して内燃機関を失火させるスピードリミッタ（過回転防止装置）とにより構成される。この種の点火装置では、スピードリミッタを既設の点火装置にも適用し得るようにするために、特許文献１に示されているように、スピードリミッタを点火ユニットに外付けする構成をとることが多い。
【０００３】
図３は既に実用化されている過回転防止機能付きの内燃機関用点火装置の回路構成を概略的に示したものである。図３に示した点火装置は、特許文献１に示された点火装置とは具体的な回路構成を異にしているが、同特許文献に示されたものと同様にスピードリミッタ（過回転防止回路）を外付けする構成をとっている。図３において、１´は一次コイル１ａ´及び二次コイル１ｂ´を有する点火コイル、２´は点火コイルの一次電流を制御する点火ユニット、３´はスピードリミッタ、４は内燃機関の気筒に取りつけられた点火プラグである。
【０００４】
図示の点火コイル１´は、少なくともその一次コイル１ａ´が内燃機関により駆動される磁石発電機内に設けられていて、機関の回転に同期して一次コイル１ａ´に交流電圧を誘起する。
【０００５】
点火ユニット２´は一次電流制御用スイッチを構成するトランジスタＴＲ1と、内燃機関の点火タイミングよりも前のタイミングでトランジスタＴＲ1をオン状態にし、点火タイミングが検出されたときにトランジスタＴＲ1をオフ状態にするようにトランジスタＴＲ1を制御するスイッチ制御回路（図示せず。）とからなっている。トランジスタＴＲ1は、点火コイルの一次コイル１ａ´に対して並列に接続されていて、一次コイル１ａ´に図示の実線矢印方向の極性の半波の電圧が誘起したときにベース電流が与えられてオン状態になる。トランジスタＴＲ1がオン状態になると点火コイルの一次コイル１ａ´からトランジスタＴＲ1を通して一次電流が流れる。スイッチ制御回路は、機関の点火タイミングを検出したときにトランジスタＴＲ1をオフ状態にするように制御する。トランジスタＴＲ1がオフ状態にされると、点火コイルの一次電流が遮断されるため、点火コイルの一次コイル１ａ´に、それまで流れていた一次電流を流し続けようとする向きの高い電圧が誘起する。この電圧は点火コイルの一次／二次間の巻数比により昇圧されるため、点火コイル１´の二次コイル１ｂ´に点火用の高電圧が誘起する。この高電圧は点火プラグ４に印加されるため、該点火プラグ４の電極間に火花放電が生じ、機関が点火される。
【０００６】
図示のスピードリミッタ３´は、オン状態になった際に点火コイルの一次コイルに誘起する図示の実線矢印方向の電圧を短絡する向きにして点火コイルの一次コイルに対して並列に接続されたサイリスタＴh1からなる一次コイル短絡用スイッチと、内燃機関の回転速度を検出する回転速度検出回路（図示せず。）と、回転速度検出回路により検出された回転速度が制限値を超えているときにサイリスタＴh1にトリガ信号を与えるサイリスタトリガ回路（図示せず。）とを備えていて、機関の回転速度が制限値を超えたときにサイリスタＴh1をオン状態にして、点火コイルの一次コイル１ａに図示の矢印方向の極性の電圧が誘起する半波の全期間の間サイリスタＴh1をオン状態に保持する。
【０００７】
点火コイルの一次コイルに図示の矢印方向の電圧が誘起する半波の全期間サイリスタＴh1がオン状態に保持されると、一次コイル１ａに誘起する図示の矢印方向の電圧がサイリスタＴh1を通して短絡され続けるため、点火コイルの一次電流が遮断されなくなり、点火用高電圧が発生しなくなる。そのため機関は失火状態になり、機関の回転速度が低下させられる。機関の回転速度が制限値以下に低下すると、サイリスタＴh1がトリガされなくなるため、点火ユニット２´による点火動作が回復し、機関は再び点火されるようになる。これらの動作の繰り返しにより機関の回転速度は制限値以下に保たれる。
【０００８】
図２に示したように、従来のこの種の点火装置においては、点火コイル１´の一次コイル１ａと、点火ユニット２´とが直接接続されて、点火コイルと点火ユニットとが共通の外装（例えば樹脂モールド部）７内に配置されて一体化され、外装７から引き出されたリード線８及びアース線９にそれぞれコネクタ１０及び１１を介してスピードリミッタ３を接続するようにしていた。
【特許文献１】実開昭６１−１９４７７７号公報
【発明の開示】
【発明が解決しようとする課題】
【０００９】
従来の点火装置のように、点火コイルと点火ユニットとを直接接続して、スピードリミッタを外付けするようにした場合には、機関の組立時に誤ってスピードリミッタ３´を接続し忘れた場合や、スピードリミッタの配線が外れた場合に、機関の回転速度が制限されなくなるため、機関が過回転により破損したり、機関に接続された負荷が機関の過回転により破損したりするおそれがあった。
【００１０】
本発明の目的は、スピードリミッタが働かない状態で機関が運転されるおそれを無くして安全性を向上させた内燃機関用点火装置を提供することにある。
【課題を解決するための手段】
【００１１】
本発明は、点火コイルと、該点火コイルの一次電流を制御して内燃機関の点火タイミングに点火用高電圧を発生させる点火ユニットと、内燃機関の回転速度が制限値を超えたときに点火用高電圧の発生を阻止して内燃機関を失火させるスピードリミッタとを備えた内燃機関用点火装置を対象とする。
【００１２】
本発明においては、少なくとも点火ユニットとスピードリミッタとが別体に形成されていて該点火ユニットとスピードリミッタとの間にコネクタが設けられ、該コネクタを接続した際に点火ユニットがコネクタを介してスピードリミッタと点火コイルとに接続され、コネクタを切り離した際に点火ユニットがスピードリミッタ及び点火コイルから切り離されるようにコネクタが設けられている。
【００１３】
上記のように構成すると、点火ユニットにスピードリミッタを接続しないと点火ユニットを点火コイルに接続することができないため、スピードリミッタが接続されない状態で点火装置が組み立てられるおそれを無くすことができ、スピードリミッタが働かない状態で機関が運転されてその回転速度が制限値を超える状態が生じるのを防ぐことができる。
【００１４】
本発明の好ましい一態様では、点火ユニットが点火ユニット側コネクタを有していて、該点火ユニット側コネクタがスピードリミッタ及び点火コイルに接続される点火ユニット内の回路に接続されている。
【００１５】
また点火コイルは、点火ユニット側コネクタに接続し得ない構造の点火コイル側コネクタを有していて、該点火コイル側コネクタがスピードリミッタ及び点火ユニットに接続される点火コイルの一次コイルの端末部に接続されている。
【００１６】
スピードリミッタは、点火コイル側コネクタを接続し得る構造の第１のリミッタ側コネクタと点火ユニット側コネクタを接続し得る構造の第２のリミッタ側コネクタとを有し、該第１及び第２のリミッタ側コネクタが点火コイル及び点火ユニットに接続されるスピードリミッタ内の回路に共通に接続されている。
【００１７】
そして、上記第１及び第２のリミッタ側コネクタがそれぞれ点火コイル側コネクタ及び点火ユニット側コネクタに接続され、これらのコネクタにより、点火コイルと点火ユニットとスピードリミッタとが相互に接続されている。
【００１８】
本発明においては、点火ユニットとスピードリミッタとが別体に設けられている必要があるが、点火コイルと点火ユニットとは一体に設けられていても、別体に設けられていてもよい。
【００１９】
本発明の好ましい態様では、点火コイルの一次コイルが内燃機関により駆動される磁石発電機内に設けられていて、機関の回転に同期して該一次コイルに交流電圧が誘起させられる。
【００２０】
また点火ユニットは、点火コイルの一次コイルに対して並列に接続された一次電流制御用スイッチと、内燃機関の点火タイミングよりも前のタイミングで一次電流制御用スイッチをオン状態にすることにより点火コイルに一次電流を流し、点火タイミングで一次電流制御用スイッチをオフ状態にして一次電流を遮断するように一次電流制御用スイッチを制御するスイッチ制御回路とを備えていて、一次電流の遮断により点火コイルの二次コイルに点火用高電圧を誘起させて点火動作を行わせる。
【００２１】
またスピードリミッタは、点火コイルの一次コイルに対して並列に接続された一次コイル短絡用スイッチと内燃機関の回転速度が制限値を超えたときに一次コイル短絡用スイッチをオン状態にして一次電流の遮断を阻止することにより点火ユニットの点火動作を停止させるように構成されている。
【００２２】
この場合も、少なくとも点火ユニットとスピードリミッタとは別体に形成される。点火ユニットは点火ユニット側コネクタを有していて、該点火ユニット側コネクタが一次電流制御用スイッチの非接地側の一端に接続される。
【００２３】
点火コイルは、点火コイル側コネクタを有して、該点火コイル側コネクタが点火コイルの一次コイルの非接地側端子に接続される。
【００２４】
スピードリミッタは、第１のリミッタ側コネクタと第２のリミッタ側コネクタとを有して該第１及び第２のリミッタ側コネクタが点火コイルの一次コイルの非接地側端子及び点火ユニットの一次電流制御用スイッチの非接地側の一端に接続されるスピードリミッタ内の回路に共通に接続される。
【００２５】
そして第１及び第２のリミッタ側コネクタがそれぞれ点火コイル側コネクタ及び点火ユニット側コネクタに接続されて点火コイルと点火ユニットとスピードリミッタとが相互に接続される。
【００２６】
上記点火コイル側コネクタとしては、点火ユニット側コネクタに直接は接続し得ない構造のコネクタを用いるのが好ましい。また第１のリミッタ側コネクタとしては点火コイル側コネクタを接続し得る構造のものを用い、第２のリミッタ側コネクタとしては、点火ユニット側コネクタを接続し得る構造のものを用いるのが好ましい。
【００２７】
本発明の好ましい態様では、上記点火コイル側コネクタ及び点火ユニット側コネクタが共に雌形コネクタにより構成されるか、または共に雄形コネクタにより構成される。点火コイル側コネクタ及び点火ユニット側コネクタが共に雌形コネクタにより構成される場合には、第１のリミッタ側コネクタ及び第２のリミッタ側コネクタが共に雄形コネクタにより構成される。点火コイル側コネクタ及び点火ユニット側コネクタが共に雄形コネクタにより構成される場合には、第１のリミッタ側コネクタ及び第２のリミッタ側コネクタが共に雌形コネクタにより構成される。
【発明の効果】
【００２８】
以上のように、本発明によれば、少なくとも点火ユニットとスピードリミッタとを別体に形成して、点火ユニットをスピードリミッタを介して点火コイルに接続する構造にすることにより、点火コイルにスピードリミッタを接続してないと点火ユニットを点火コイルに接続することができないようにしたため、スピードリミッタが接続されない状態で点火装置が組み立てられるおそれを無くすことができ、スピードリミッタが働かない状態で機関が運転されてその回転速度が制限値を超える状態が生じるのを防ぐことができる。
【発明を実施するための最良の形態】
【００２９】
以下図１を参照して本発明の好ましい実施形態を説明する。図１において、１は一次コイル１ａ及び二次コイル１ｂを有する点火コイルで、この点火コイルは、機関により駆動される磁石発電機の磁石回転子の磁極に対向する磁極部を有する電機子鉄心に巻回されて、樹脂モールド部１００により被覆されている。点火コイル１が巻回された電機子鉄心は、機関のケースやカバー等に取りつけられて、その磁極部が磁石回転子の磁極に対向させられる。この例では、点火コイルの一次コイル１ａが点火電源としての機能を有し、該一次コイルには、機関の回転に同期して、図示の実線矢印方向の極性の半波の電圧と、図示の破線矢印の極性の半波の電圧とからなる交流電圧が誘起する。点火コイル１の一次コイル１ａの一端は接地され、他端はリード線１０１を通して雌形コネクタからなる点火コイル側コネクタ１０２に接続されている。
【００３０】
図１において２は点火ユニットで、この点火ユニットは、図３に示した点火ユニット２´と同様に、一次電流制御用スイッチを構成するトランジスタＴＲ1と、内燃機関の点火タイミングよりも前のタイミングでトランジスタＴＲ1をオン状態にし、点火タイミングが検出されたときにトランジスタＴＲ1をオフ状態にするようにトランジスタＴＲ1を制御する図示しないスイッチ制御回路とからなっているが、本実施形態では、この点火ユニットの構成部品が点火コイル１の外装とは別の外装２００内に配置されて、点火ユニット２が点火コイル１と別体に形成されている。すなわち、この例では、点火コイル１と、点火ユニット２と、スピードリミッタ３とが別体に形成されている。
【００３１】
図示の例ではトランジスタＴＲ1がＮＰＮＰ形のものからなっていて、このコレクタが接地され、ベースが図示しないスイッチ制御回路に接続されている。トランジスタＴＲ1のエミッタに接続されたリード線２０１が外装２００から外部に導出され、このリード線２０１に点火ユニット側コネクタ２０２が接続されている。点火ユニット側コネクタ２０２は、点火コイル側コネクタ１０２に直接接続することができないコネクタにより構成される。図示の例では、点火コイル側コネクタ１０２が雌形コネクタからなっているため、点火ユニット側コネクタ２０２も雌形コネクタにより構成されている。
【００３２】
スピードリミッタ３は、図３に示した点火装置で用いられていたものと同様に、オン状態になった際に点火コイル１の一次コイル１ａに誘起する図示の実線矢印方向の電圧を短絡する向きにして点火コイルの一次コイルに対して並列に接続されたサイリスタＴh1からなる一次コイル短絡用スイッチと、内燃機関の回転速度を検出する回転速度検出回路と、この回転速度検出回路により検出された回転速度が制限値を超えているときにサイリスタＴh1にトリガ信号を与えるトリガ回路とを樹脂モールド部などからなる外装３００内に配置した構成を備えていて、機関の回転速度が制限値を超えたときにサイリスタＴh1をオン状態にして、点火コイルの一次コイル１ａに図示の実線矢印方向の極性の電圧が誘起する半波の全期間の間サイリスタＴh1をオン状態に保持することにより点火動作を停止させる。
【００３３】
本実施形態では、スピードリミッタ３が、点火コイル側コネクタ１０２を接続し得る構造の雄形の第１のリミッタ側コネクタ３０１と、点火ユニット側コネクタを接続し得る構造の第２のリミッタ側コネクタ３０２とを有していて、該第１及び第２のリミッタ側コネクタ３０１及び３０２が、点火コイル１及び点火ユニット２に接続されるスピードリミッタ内の回路（サイリスタＴh1のカソード）に共通に接続されている。図示の例では、一端がサイリスタＴh1のカソードに接続された２本のリード線３０３及び３０４が外装３００から外部に導出されていて、これらのリード線３０３及び３０４の他端にそれぞれ第１のリミッタ側コネクタ３０１及び第２のリミッタ側コネクタ３０２が接続されている。
【００３４】
本実施形態では、点火コイル側コネクタ１０２及び点火ユニット側コネクタ２０２がともに雌形のコネクタからなっているため、第１のリミッタ側コネクタ３０１及び第２のリミッタ側コネクタ３０２はともに雄形コネクタからなっている。第１及び第２のリミッタ側コネクタ３０１及び３０２がそれぞれ点火コイル側コネクタ１０２及び点火ユニット側コネクタ２０２に接続されることにより、点火コイル１の一次コイルと点火ユニット２とスピードリミッタ３とが相互に接続されている。
【００３５】
また図示の例ではサイリスタＴh1のアノードに雄形コネクタからなる第３のリミッタ側コネクタ３０５が接続され、アース線３０６に接続された雌形コネクタ３０７が第３のリミッタ側コネクタ３０５に接続されている。
【００３６】
本実施形態ではまた、スピードリミッタ３に更に雄形コネクタからなる第４のリミッタ側コネクタ３０８及び第５のリミッタ側コネクタ３０９が設けられていて、第４のリミッタ側コネクタ３０８及び第５のリミッタ側コネクタ３０９にそれぞれ発光ダイオード５のアノードに接続された雌形コネクタ３１０及びオイルレベル検出スイッチ６の非接地側端子に接続された雌形コネクタ３１１が接続されている。
【００３７】
オイルレベル検出スイッチ６は、エンジンオイルのレベルが規定レベル未満になったときにオン状態になるスイッチで、スピードリミッタ３は、オイルレベル検出スイッチ６がオン状態になったときにサイリスタＴh1にトリガ信号を継続的にまたは周期的に与える回路と、オイルレベル検出スイッチ６がオン状態になったときに発光ダイオード５に電流を流す回路とを備えている。
【００３８】
スピードリミッタ３は、エンジンオイルのレベルが規定レベル未満になってスイッチ６が閉じたときにサイリスタＴh1にトリガ信号を継続的に与えて該サイリスタをオン状態にすることによりエンジンを停止させるか、またはスイッチ６が閉じたときにサイリスタＴh1に周期的にトリガ信号を与えることにより点火動作を周期的に停止させて（点火動作を間引いて）エンジンの回転速度を低い速度に制限するようになっている。スピードリミッタ３はまた、オイルレベルが規定レベル未満になってオイルレベル検出スイッチ６がオン状態になったときに発光ダイオード５に通電して該発光ダイオードを発光させることにより、オイルレベルが低下していることの警告を発する。
【００３９】
上記のように構成すると、点火コイル１にスピードリミッタ３を接続してからでないと点火ユニット２を点火コイル１に接続することができないため、スピードリミッタ３が接続されない状態で点火装置が組み立てられるおそれを無くすことができる。
【００４０】
上記の実施形態では、点火コイル１を点火ユニット２とを別体に形成しているが、図２に示したように点火コイル１と点火ユニット２とを一体に形成してもよい。図２に示した実施形態では、点火ユニット２の構成部品が点火コイル１の外装を構成する樹脂モールド部１００で被覆されて、点火ユニット２と点火コイル１とが一体に形成されている。
【００４１】
図１に示した実施形態と同様に、点火コイル１の一次コイル１ａの一端は接地されている。一次コイル１ａの他端に一端が接続されたリード線１０１がモールド部１００から導出され、該リード線１０１の他端に雌形コネクタからなる点火コイル側コネクタ１０２が接続されている。またトランジスタＴＲ1のエミッタに一端が接続されたリード線２０１が樹脂モールド部１００から外部に導出され、このリード線２０１の他端に点火ユニット側コネクタ２０２が接続されている。点火ユニット側コネクタ２０２は、点火コイル側コネクタ１０２に直接は接続することができないコネクタにより構成される。図示の例では、点火コイル側コネクタ１０２が雌形コネクタからなっているため、点火ユニット側コネクタ２０２も雌形コネクタにより構成されている。
【００４２】
スピードリミッタ３は、点火コイル側コネクタ１０２を直接接続し得る構造の雄形の第１のリミッタ側コネクタ３０１と、点火ユニット側コネクタを直接接続し得る構造の第２のリミッタ側コネクタ３０２とを有していて、該第１及び第２のリミッタ側コネクタ３０１及び３０２が、点火コイル１及び点火ユニット２に接続されるスピードリミッタ内の回路（サイリスタＴh1のカソード）に共通に接続されている。図示の例では、一端がサイリスタＴh1のカソードに接続された２本のリード線３０３及び３０４が外装３００から外部に導出されていて、これらのリード線３０３及び３０４の他端にそれぞれ第１のリミッタ側コネクタ３０１及び第２のリミッタ側コネクタ３０２が接続されている。
【００４３】
スピードリミッタ３にはまた、雄形コネクタからなる第４のリミッタ側コネクタ３０８及び第５のリミッタ側コネクタ３０９が設けられ、第４のリミッタ側コネクタ３０８及び第５のリミッタ側コネクタ３０９にそれぞれ発光ダイオード５のアノードに接続された雌形コネクタ３１０及びオイルレベル検出スイッチ６の非接地側端子に接続された雌形コネクタ３１１が接続されている。
【００４４】
上記の各実施形態では、スピードリミッタ３のサイリスタＴh1のアノードをコネクタ３０５，３０７とアース線３０６とを通して接地しているが、サイリスタＴh1のアノードを直接アース線３０６を通して接地するようにしてもよい。
【００４５】
上記の各実施形態において、各ユニットから引き出されるリード線の長さが不足する場合には、該リード線に延長用のリード線を継ぎ足すようにしてもよい。例えば図１に示した例において、点火ユニット２００から導出されるリード線２０１が短い場合には、一端に雄形コネクタを有し、他端に雌形コネクタを有する延長用リード線を設けて、該延長用リード線の一端の雄形コネクタをコネクタ２０２に接続することにより、リード線２０１を延長するようにしてもよい。
【００４６】
上記の各実施形態において、各ユニットの外装から導出したリード線に各コネクタを取り付けているが、一部のコネクタをユニットの外装に固定した状態で設けるようにしてもよい。例えば図１の実施形態において、スピードリミッタ３に設ける第１及び第２のリミッタ側コネクタ３０１及び３０２をスピードリミッタの外装３００に固定し、点火コイル１から導出されたリード線１０１に取り付けられた点火コイル側コネクタ１０２及び点火ユニット２から導出されたリード線２０１に取り付けられた点火ユニット側コネクタ２０２をそれぞれ第１及び第２のリミッタ側コネクタ３０１及び３０２に接続するようにしてもよい。
【００４７】
またすべてのコネクタをユニットの外装に固定して、所定のコネクタ間をコネクタ付きのリード線により接続するようにしてもよい。例えば図２に示した実施形態において、点火コイル側コネクタ１０２及び点火ユニット側コネクタ２０２を樹脂モールド部１００に固定し、第１及び第２のリミッタ側コネクタ３０１及び３０２も外装３００に固定して、点火コイル側コネクタ１０２と第１のリミッタ側コネクタ３０１との間、及び点火ユニット側コネクタ２０２と第２のリミッタ側コネクタ３０２との間をそれぞれコネクタ付きのリード線（一端及び他端に相手側コネクタに接続し得るコネクタを取り付けたリード線）を介して接続するようにしてもよい。このように、コネクタ付きのリード線によりユニットの外装に固定された所定のコネクタ間を接続するようにする場合には、ユニットの外装に固定するコネクタは同種のコネクタでも異種のコネクタでもよい。例えば、点火コイル側コネクタ、点火ユニット側コネクタ、第１のリミッタ側コネクタ及び第２のリミッタ側コネクタのすべてを雌形コネクタにより構成し、雄形コネクタを両端に有するコネクタ付きリード線を介して所定のコネクタ間を接続するようにしてもよい。
【図面の簡単な説明】
【００４８】
【図１】本発明の一実施形態を示した回路図である。
【図２】本発明の他の実施形態を示した回路図である。
【図３】従来の点火装置の構成を示した回路図である。
【符号の説明】
【００４９】
１  点火コイル
１０２  点火コイル側コネクタ
２  点火ユニット
２０２  点火ユニット側コネクタ
３  スピードリミッタ
３０１  第１のリミッタ側コネクタ
３０２  第２のリミッタ側コネクタ
【図１】
2005069077.tif 000003
【図２】
2005069077.tif 000004
【図３】
2005069077.tif 000005